(57)【特許請求の範囲】
【請求項１】
有害成分として、ふっ素、塩素、臭素、沃素、三ふっ化塩素、ふっ化水素、塩化水素、臭化水素、沃化水素、三ふっ化ほう素、四ふっ化珪素、四ふっ化ゲルマン、六ふっ化タングステン、及び四塩化珪素から選ばれる１種または２種以上を含有するガスを、酸化銅（ＩＩ）及び酸化マンガン（ＩＶ）を合計で６０重量％以上含有する金属酸化物にギ酸ナトリウムを添着せしめてなる浄化剤と接触させ、該ガスから該有害成分を除去することを特徴とする有害ガスの浄化方法。
【請求項２】
酸化銅（ＩＩ）に対する酸化マンガン（ＩＶ）の割合が重量比で１：０．２〜５．０である請求項１に記載の浄化方法。
【請求項３】
ギ酸ナトリウムの添着量が金属酸化物１００重量部に対して１〜６０重量部である請求項１に記載の浄化方法。
【発明の詳細な説明】
【０００１】
【発明の属する技術分野】
本発明は有害ガスの浄化方法に関し、さらに詳細にはふっ素、塩素、臭素、沃素、三ふっ化塩素、ふっ化水素、塩化水素、三ふっ化ほう素、四ふっ化珪素、六ふっ化タングステンなど半導体製造工程において使用されるハロゲン系ガスの浄化方法に関する。
近年、半導体工業やオプトエレクトロニクス工業、精密機械工業の発展とともにふっ素、塩素、ふっ化水素、四ふっ化珪素などのハロゲン系ガスの使用量が増加している。
これらのハロゲン系ガスはシリコン半導体や化合物半導体製造工業において、エッチングガス、クリーニングガス、成膜用ガスとして不可欠な物質である。またこれらのハロゲン系ガスは半導体製造工程において、そのまま、あるいはヘリウム、アルゴン、窒素などで希釈された状態で使用された後、そのまま、あるいはさらに窒素、空気などのガスで希釈された状態で排出されることから、その排出ガスの濃度は一定していない。
そしてこれらハロゲン系ガスは、いずれも毒性が高く、人体及び環境に悪影響を与えるので、これらハロゲン系ガスを含む有害なガスは半導体製造工程などで使用された後大気に放出するに先立って浄化する必要がある。
【０００２】
【従来の技術】
従来、ガス中に含まれるハロゲン系ガスを除去する手段として、スクラバー、スプレー塔、回転式微細気泡発生装置などを用い、これらのガスを水酸化ナトリウムなどのアルカリ水溶液と接触させて吸収分解させる湿式法（特開昭６１−２０４０２２号、特開昭６２−１２５８２７号公報など）、マグネシウム、ナトリウム、カリウムなどの酸化物、炭酸塩などの吸着剤（特開昭６３−２３２８４４号公報）、亜鉛化合物とアルカリ金属化合物などを活性炭に含浸させた吸着剤（特開昭６０−６８０５１号公報）、あるいはソーダライムなどを有効成分とした吸着剤、さらに最近は四三酸化鉄を主成分とする組成物を用いた浄化剤（特開平７−２７５６４６号公報）などを用いる乾式法が知られている。
【０００３】
【発明が解決しようとする課題】
しかしながら、湿式法は一般的に後処理に困難性があり、装置が複雑で大型になるばかりでなく、設備、保守ともに多額の費用を要するという問題がある。
一方、乾式法としてマグネシウム、ナトリウム、カリウムなどの酸化物、炭酸塩などの吸着剤の場合には吸着剤単位容積当たりの浄化能力が小さいという不都合がある。
また、亜鉛化合物とアルカリ金属化合物などを活性炭に含浸させた浄化剤の場合もその除去容量が十分とは言えず、浄化対象ガス量が多い場合には処理しきれないという問題があるばかりでなく、ふっ素などの反応性のきわめて高いガスの処理においては火災の危険性もある。さらに、物理的吸着剤のため、一度吸着された有害成分が再び脱離してしまう問題がある。
【０００４】
さらに、ソーダライムは上記の浄化剤に比べ幾分、処理量が大きいものの、浄化剤が乾燥したり、浄化対象ガスの濃度が低い場合には処理能力が大きく低下するという問題があるほか、ソーダーライムは潮解性を有しており、処理ガス中に含まれる水分によって浄化筒の閉塞が起こる恐れがある等の不都合があった。
一方、四三酸化鉄を主成分とする浄化剤の場合は、常温で大きな浄化能力を有し、安全にしかも完全に浄化できるなど優れた浄化剤であるが、浄化剤が乾燥した場合には浄化能力が低下するという不都合があった。
従って、有害ガスが低濃度であり、しかも乾燥状態といった、半導体製造プロセスから排出されるようなハロゲン系ガスに対して除去能力が優れ、浄化の際、火災などの危険性がなく、かつ、高い効率で除去できる浄化剤の出現が望まれていた。
【０００５】
【課題を解決するための手段】
本発明者らは、これらの問題点を解決すべく鋭意検討を重ねた結果、酸化銅（ＩＩ）、酸化マンガン（ＩＶ）を主成分とする金属酸化物にギ酸ナトリウムを添着させた浄化剤を用いることにより、浄化剤が乾燥した状態においても浄化能力の低下することがなく、火災などを生ずる危険性がなく安全に、しかも極めて効率よく浄化することができることを見いだし本発明を完成した。すなわち本発明は、有害成分として、ふっ素、塩素、臭素、沃素、三ふっ化塩素、ふっ化水素、塩化水素、臭化水素、沃化水素、三ふっ化ほう素、四ふっ化珪素、四ふっ化ゲルマン、六ふっ化タングステン、及び四塩化珪素から選ばれる１種または２種以上を含有するガスを、酸化銅（ＩＩ）及び酸化マンガン（ＩＶ）を合計で６０重量％以上含有する金属酸化物にギ酸ナトリウムを添着せしめてなる浄化剤と接触させ、該ガスから該有害成分を除去することを特徴とする有害ガスの浄化方法である。
【０００６】
【発明の実施の形態】
本発明は、半導体プロセスなどからから排出される排ガス中に含まれる有害なハロゲン系ガスの浄化に適用される。浄化の対象となる有害ガスとしては窒素、アルゴン、ヘリウム、空気中などに含まれるふっ素、塩素、臭素、沃素、三ふっ化塩素などのハロゲンガス、ふっ化水素、塩化水素、臭化水素、沃化水素などのハロゲン化水素、三ふっ化ほう素、四ふっ化珪素、四ふっ化ゲルマン、六ふっ化タングステン、四塩化珪素などのハロゲン化物ガスの浄化に適用される。特に、本発明の浄化方法によれば、多量の有害ガスを迅速にかつ効率よく、しかも常温で浄化することが可能である。
【０００７】
本発明においては、金属酸化物にギ酸ナトリウムが添着された浄化剤が用いられる。
金属酸化物としては酸化銅（ＩＩ）及び酸化マンガン（ＩＶ）を主成分とするものであるが、これにその他の酸化物として酸化銀、酸化アルミニウム、酸化珪素、酸化カリウム、酸化ナトリウム、などが含有されたものであってもよい。
金属酸化物中の酸化銅（ＩＩ）及び酸化マンガン（ＩＶ）の含有量は、通常は両者を合わせて６０重量％以上、好ましくは７０重量％以上である。また、酸化銅（ＩＩ）に対する酸化マンガン（ＩＶ）の割合は、通常は重量比で１：０．２〜５．０好ましくは１：０．８〜３．０である。
【０００８】
これらの金属酸化物系の組成物は、各金属酸化物を混合する方法、あるいは各金属化合物の混合溶液から酸化物を調製する方法、その他公知の種々の方法で調製することができるが、ホプカライトとして市販品もあることから、それらを使用すると便利である。ホプカライトは、酸化銅（ＩＩ）４０重量％、酸化マンガン（ＩＶ）６０重量％の二元素系を中心として販売されているものの他、酸化銀、酸化コバルト、酸化アルミニウム、酸化マグネシウムなどその他の酸化物が４０重量％以下の割合で混合されたものもあり、これらをそのまま用いてもよく、あるいはさらにこれらの酸化物を追加混合して用いてもよい。
【０００９】
これら酸化銅（ＩＩ）及び酸化マンガン（ＩＶ）を主成分とする金属酸化物は、通常は成型して用いられ、押し出し成型品、打錠成型品、あるいはこれらを適当な大きさに破砕するなど種々の形状で使用することができる。その大きさは、破砕品あるいは略球状品であれば４〜２０メッシュ、押し出し成型品であれば通常は直径１．５〜４ｍｍ、長さ３〜２０ｍｍ、打錠成型品であれば通常は円筒状で直径３〜６ｍｍ、高さ３〜６ｍｍ程度のものが好ましい。
【００１０】
金属酸化物に添着されるギ酸ナトリウムの量はハロゲンガスの種類、濃度により異なり一概に特定はできないが、添着量が少なすぎる場合は充分な浄化能力が得られず、添着量が多すぎると金属酸化物上に安定に保持されないばかりでなく、除去効率が低下することから、通常は金属酸化物１００重量部に対してギ酸ナトリウム無水物として１〜６０重量部、好ましくは２０〜４０重量部程度とされる。
金属酸化物にギ酸ナトリウムを添着させる方法としては、あらかじめ成型された金属酸化物をかきまぜながら、ギ酸ナトリウムの水溶液を散布、添着したのち乾燥することによって調製することができる。
この他、金属酸化物に対してギ酸ナトリウムを、使用中あるいは取り扱い中に脱落しない程度の強さで添着することができれば、その方法については特に限定されない。
金属酸化物にギ酸ナトリウムを添着、あるいは添着後乾燥させる際の温度としては、温度が高すぎる場合は、浄化能力が減少する恐れがあることから、通常は７０℃以下、好ましくは５０℃以下で行われる。
【００１１】
本発明の浄化剤は、その水分含量が低い場合においても除去能力が低下しないばかりでなく、水分含量が少ない方が浄化能力が高いという特徴を有している。
浄化剤中の水分含量として、通常は０〜５０重量％程度のものが使用される。浄化剤中の水分含量が多い場合には、浄化剤が乾燥したガスと接触した際に乾燥収縮を生じ、浄化筒内に空隙ができることによりガスの偏流を生ずる恐れがあることから、好ましくは水分含量として１〜３０重量％程度である。
本発明の浄化剤は水分含量を上記のように調製することにより、乾燥したガスの場合であっても浄化能力が低下することなく、浄化能力を安定に保持させることができる。
【００１２】
本発明において、浄化剤とガスと接触温度については、温度が高い場合には浄化能力が経時的に低下する恐れがあること、また本浄化剤は常温においても十分な浄化能力を有することから、通常は常温付近（０〜５０℃）の温度で使用される。
なお、有害ガスの濃度が高い場合には、浄化にもとずく反応熱によって若干の温度上昇を伴うが、温度上昇として１０℃程度であること、また、浄化操作中はガスの流通による冷却効果があることから異常な発熱を生ずる恐れはない。
浄化剤と処理ガスとの接触時の圧力には特に制限はなく、通常は大気圧で使用されるが、０．５〜２．０ｋｇ／ｃｍ2 ａｂｓなどの様に減圧乃至加圧下で操作することも可能である。
【００１３】
本発明における浄化方法が適用される浄化対象ガスの濃度に特に制限はなく、低濃度から高濃度まで適用可能であるが、半導体製造時における排ガスを浄化する場合、通常は数ｐｐｍ〜数万ｐｐｍの条件で使用される。
また、本発明が適用される際の処理ガスの流速には特に制限はないが、通常は空筒基準線速度（ＬＶ）として０．１〜５０ｃｍ／ｓｅｃ程度の範囲で設計される。一般に除去対象ガスの濃度が高いほど、空筒基準線速度は小さくすることが望ましく、濃度が１％以上のような高濃度の場合は１０ｃｍ／ｓｅｃ以下の範囲で行われる。
【００１４】
本発明において浄化剤は、移動床、流動床として使用することも可能であるが通常は固定床として使用される。
浄化剤は浄化筒内に充填され、浄化対象ガスはこの浄化筒に流通され、浄化剤との接触により、浄化される。浄化剤が浄化筒内に充填された時の充填密度は０．８〜１．５ｇ／ｃｍ3 程度である。
【００１５】
以上のように、本発明によれば、処理すべきガスが乾燥ガスの場合であっても、また、有害成分が低濃度の場合においても室温付近の温度領域において効率よく、かつ、安全に浄化することができる。
次に実施例により、本発明をより具体的に説明するが、これにより本発明が何等、限定されるものではない。
【００１６】
【実施例】
実施例１〜５
（金属酸化物）
金属酸化物として、市販のホプカライト（日産ガードラー（株）製）を使用した。その組成は二酸化マンガン（ＭｎＯ2 ）５０重量％、酸化銅（ＣｕＯ）２２重量％、酸化マグネシウム（ＭｇＯ）１２．５重量％、酸化アルミニウム（Ａｌ2 Ｏ3 ）１２．５重量％、水分３重量％であり、形状として直径１．５ｍｍ、長さ３〜１０ｍｍの押し出し成型品であった。
（浄化剤の調製）
このホプカライト１３０ｇに対して、水６２ｇにギ酸ナトリウム無水物をそれぞれ、２９．６ｇ、３４．３ｇ、３６．４ｇ、５１．１ｇ、６８．０ｇを溶解させた水溶液を散布、添着し、ホプカライト１００重量部に対して、ギ酸ナトリウムを無水物として、それぞれ、２２．８、２６．４、２８．０、３９．３、５２．３重量部担持させ浄化剤を調製した。これら５種類の浄化剤を窒素気流中、常温にて乾燥させ、水分含量を５重量％以下とした。
【００１７】
（浄化実験）
この５種類の浄化剤を用いてそれぞれ有害ガスの浄化実験を行なった。浄化剤を直径４０ｍｍの浄化筒に１２５．７ｍｌ充填し、塩素ガスを１０００ｐｐｍ含有する乾燥窒素を２０℃、常圧下にて、空筒基準線速度３．０ｃｍ／ｓｅｃで流通させた。
浄化筒の出口ガスの一部をサンプリングし、そのガス中の塩素濃度をガス検知管（ガステック（株）製、検知下限濃度０．２ｐｐｍ）及び、ガス検知器（バイオニクス機器（株）製、型番ＴＧ−１００ＢＡ）で測定し、許容濃度である１ｐｐｍに到達するまでの時間（有効処理時間）を測定した。その結果を表１に示した。
【００１８】
【表１】
0003716030.tif 000002
【００１９】
実施例６
ホプカライト１００重量部に対して、ギ酸ナトリウムを無水物として２６．４重量部添着した後、水分含量が２８重量％程度となるように乾燥調製した浄化剤について実施例１〜５と同様に浄化実験を行なった。その結果を表２に示す。
【００２０】
【表２】
0003716030.tif 000003
【００２１】
比較例１
実施例１〜５の浄化剤の調製に用いたと同じホプカライトについて、実施例１〜５と同様の浄化実験を行い、有効処理時間を測定した。結果を表３に示す。
【００２２】
【表３】
0003716030.tif 000004
【００２３】
実施例７〜１０
実施例２と同様にして得た浄化剤を使用し、塩素ガス濃度及び空筒基準線速度を変更したほかは実施例２と同様の浄化実験を行い、有効処理時間を測定した。結果を表４に示す。
【００２４】
【表４】
0003716030.tif 000005
【００２５】
実施例１１
実施例２と同様にして得た浄化剤を実施例１〜５と同じ浄化筒に２５１．２ｍｌ充填し，塩素ガスを含む乾燥窒素を２０℃で空筒速度５０ｃｍ／ｓｅｃで流通させ実施例２と同様にして有効処理時間を測定した。結果を表５に示す。
【００２６】
【表５】
0003716030.tif 000006
【００２７】
実施例１２
浄化条件として、浄化筒内圧力を１ｋｇ／ｃｍ2 Ｇとした他は実施例２と同じ条件で浄化実験を行った。結果を表６に示す。
【００２８】
【表６】
0003716030.tif 000007
【００２９】
実施例１３
金属酸化物として酸化銅（ＣｕＯ）７２重量％、二酸化マンガン（ＭｎＯ2 ）２０重量％、酸化アルミニウム（Ａｌ2 Ｏ3 ）５重量％、水分３重量％からなる組成物を用いたほかは、実施例２と同様にして浄化剤を調製した。この浄化剤について実施例１〜５と同様に浄化実験を行い、有効処理時間を測定した。結果を表７に示す。
【００３０】
【表７】
0003716030.tif 000008
【００３１】
実施例１４〜１６
塩素ガスに変えて三ふっ化塩素、四ふっ化珪素、六ふっ化タングステンを用いたほかは、実施例１〜５と同様にして浄化実験を行い、有効処理時間を測定した。結果を表８に示す。
【００３２】
【表８】
0003716030.tif 000009
【００３３】
【発明の効果】
本発明の浄化方法により、ガス中に含有されるふっ素、塩素、ふっ化水素、六ふっ化タングステン、ふっ化ほう素などのハロゲン系ガスを低濃度、高濃度、にかかわらず常温で効率良く、しかも安全に除去することができる。
すなわち、本発明は下記のような特徴を有しており、半導体製造工程などからの排ガスの浄化、ガスボンベなどから有害なガスが漏洩した場合などの緊急浄化など、工業的に極めて有用な方法である。
（１）各種のハロゲン系ガスを濃度に関係なく完全に浄化することができる。
（２）常温付近の温度で浄化することができ、特に加熱や冷却を必要としない。
（３）処理すべき排ガスが乾燥状態であっても浄化能力が低下しない。
（４）浄化中に火災を生じるような恐れがない。
（５）浄化後の浄化剤から有害なハロゲン系ガスが脱離することがない。